(57)【要約】【課題】映像表示動作の安定時点を知ることができ、映像ミュート解除を適切なタイミングで制御できる映像表示装置のオートカットオフ回路を提供する。【解決手段】リファレンスパルスの電圧レベルが第二基準電圧値以下になった場合にＲＧＢ毎に各々第二検出信号を出力する第二検出手段２７ｆ、２７ｄ、２７ｂと、第一検出信号と第二検出信号とが双方ともに検出された場合にＲＧＢ毎に動作安定信号を出力する動作安定度判断手段２７ｊ、２７ｈ、２７ｇと、各動作安定判断手段２７ｊ、２７ｈ、２７ｇからＲＧＢ毎の全動作安定信号が出力された場合に直流電源電圧ＥｏからＲＧＢ映像信号の各入力に切替えるミュート解除手段２７ｋと、リファレンスパルスの電圧レベルを第一検出信号によりＲＧＢ毎に漸増又は漸減させ、動作安定信号により設定するレベルシフト手段６、９、１２を備える。【選択図】        図１
2004349770.tif 000002
【特許請求の範囲】
【請求項１】
陰極線管のＲ（赤）、Ｇ（緑）、Ｂ（青）の各色毎に分離されたＲＧＢ映像信号における１フィールド毎の帰線期間または該ＲＧＢ映像信号が入力されない映像ミュート状態ではリファレンスパルスを基準電圧となる直流電源電圧に付加し、該リファレンスパルスから陰極線管を駆動するためにＲ、Ｇ、Ｂ毎に生成される各カソード電流を変換した各パルス電圧の波高値が第一基準電圧値以上になった場合にＲ、Ｇ、Ｂ毎に各々第一検出信号を出力し、該第一検出信号によりＲ、Ｇ、Ｂ毎に前記リファレンスパルスの電圧レベルを漸増あるいは漸減させるオートカットオフ回路であって、
前記リファレンスパルスの電圧レベルが第二基準電圧値以下になった場合にＲ、Ｇ、Ｂ毎に各々第二検出信号を出力する第二検出手段と、
前記第一検出信号と第二検出信号とが双方ともに検出された場合に前記Ｒ、Ｇ、Ｂ毎に各々動作安定信号を出力する色別の動作安定度判断手段と、
前記各動作安定判断手段から前記Ｒ、Ｇ、Ｂ毎の全ての動作安定信号が出力された場合には、前記直流電源電圧からＲＧＢ映像信号の各入力に切り替えるミュート解除手段と、
前記リファレンスパルスの電圧レベルを、前記第一検出信号によりＲ、Ｇ、Ｂ毎に漸増あるいは漸減させ、前記動作安定信号により設定するレベルシフト手段と
を備えたことを特徴とするオートカットオフ回路。
【請求項２】
陰極線管の映像信号が入力されない映像ミュート状態でＲ（赤）、Ｇ（緑）、Ｂ（青）の各色毎のリファレンスパルスを付加するための基準電圧となる直流電圧電源と、
Ｒ、Ｇ、Ｂの各色信号に分離されたＲＧＢ映像信号の各入力と、前記直流電源電圧とを切り替える第一切替スイッチ手段と、
前記直流電源電圧入力と、陰極線管用のＲＧＢ各色用の基準となるリファレンスパルスとを切り替える第二切替スイッチ手段と、
該リファレンスパルスから陰極線管を駆動するためにＲ、Ｇ、Ｂ毎に生成される各カソード電流を各々パルス電圧に変換するパルス電圧変換手段と、
前記パルス電圧変換手段で変換された各パルス電圧の波高値が第一基準電圧値以上になった場合にＲ、Ｇ、Ｂ毎に各々第一検出信号を出力する第一検出手段と、
を備え、
前記ミュート解除手段は、前記各動作安定判断手段から前記Ｒ、Ｇ、Ｂ毎の全ての動作安定信号が出力された場合には、前記第一切替スイッチ手段を直流電源電圧からＲＧＢ映像信号の各入力に切り替える信号を出力する
ことを特徴とする請求項１に記載のオートカットオフ回路。
【請求項３】
前記ミュート解除手段の出力により前記第一切替スイッチ手段が直流電源電圧からＲＧＢ映像信号の各入力に切り替えた後、
前記第二切替スイッチ手段は、前記ＲＧＢ映像信号の各入力と、前記リファレンスパルス電圧とを切り替えることで、前記ＲＧＢ映像信号における１フィールド毎の帰線期間に基準となるリファレンスパルスを付加し、
前記第一切替スイッチ手段が直流電源電圧からＲＧＢ映像信号の各入力に切り替えた直後の、前記レベルシフト手段から出力される前記リファレンスパルスの電圧レベルをＲ、Ｇ、Ｂ毎に各々格納する記憶手段と、
前記第二検出手段に供給するＲ、Ｇ、Ｂ毎の各第二基準電圧値を各々変化させて出力する直流電圧可変電源と、
前記記憶手段に格納されたＲ、Ｇ、Ｂ毎の各リファレンスパルスの電圧レベルと検出パルスによりレベルシフトされたＲ、Ｇ、Ｂ毎の各リファレンスパルスの電圧レベルとが一致するように、前記直流電圧可変電源から出力されるＲ、Ｇ、Ｂ毎の各第二基準電圧を変化させる制御部と
を備えることを特徴とする請求項２に記載のオートカットオフ回路。
【請求項４】
ｎ（ｎは２以上の自然数）個の前記陰極線管を表示部として使用するマルチ映像表示装置に用いられるオートカットオフ回路であって、
前記マルチ映像表示装置を構成するｎ面の各表示部に対して個別にオートカットオフ回路をｎ個設け、
前記第一切替スイッチ手段を直流電源電圧からＲＧＢ映像信号の各入力に切り替える信号を、各表示部毎に設けられた全ｎ個のオートカットオフ回路のミュート解除手段が全て出力するまでは保留し、全ての切り替える信号が出力された場合には、マルチ映像表示装置を構成する全表示部に対して一斉に前記切り替える信号を出力する一斉ミュート解除手段
を備えたことを特徴とする請求項２または３に記載のオートカットオフ回路。
【請求項５】
陰極線管のＲ（赤）、Ｇ（緑）、Ｂ（青）の各色毎に分離されたＲＧＢ映像信号における１フィールド毎の帰線期間または該ＲＧＢ映像信号が入力されない映像ミュート状態ではリファレンスパルスを基準電圧となる直流電源電圧に付加し、該リファレンスパルスから陰極線管を駆動するためにＲ、Ｇ、Ｂ毎に生成される各カソード電流を変換した各パルス電圧の波高値が第一基準電圧値以上になった場合にＲ、Ｇ、Ｂ毎に各々第一検出信号を出力し、該第一検出信号によりＲ、Ｇ、Ｂ毎に前記リファレンスパルスの電圧レベルを漸増あるいは漸減させるオートカットオフ回路において、
前記リファレンスパルスの電圧レベルが第二基準電圧値以下になった場合にＲ、Ｇ、Ｂ毎に各々第二検出信号を出力するステップと、
前記第一検出信号と第二検出信号とが双方ともに検出された場合に前記Ｒ、Ｇ、Ｂ毎に各々動作安定信号を出力するステップと、
前記リファレンスパルスの電圧レベルを、前記第一検出信号によりＲ、Ｇ、Ｂ毎に漸増あるいは漸減させ、前記動作安定信号により設定するステップと、
前記Ｒ、Ｇ、Ｂ毎の全ての動作安定信号が出力された場合には、直流電源電圧からＲＧＢ映像信号の各入力に切り替える信号を出力するステップ
を有することを特徴とするオートカットオフ回路のミュート解除方法。
【請求項６】
前記リファレンスパルスから陰極線管を駆動するためにＲ、Ｇ、Ｂ毎に生成される各カソード電流を各々パルス電圧に変換するステップと、
前記変換された各パルス電圧の波高値が第一基準電圧値以上になった場合にＲ、Ｇ、Ｂ毎に各々第一検出信号を出力するステップと、
を有することを特徴とする請求項５に記載のオートカットオフ回路のミュート解除方法。
【請求項７】
前記Ｒ、Ｇ、Ｂ毎の各第二基準電圧値を各々変化させて出力する直流電圧可変電源を有し、
前記直流電源電圧からＲＧＢ映像信号の各入力に切り替える信号を出力するステップの後に、
前記ＲＧＢ映像信号の各入力と、前記リファレンスパルス電圧とを切り替えることで、前記ＲＧＢ映像信号における１フィールド毎の帰線期間に基準となるリファレンスパルスを付加するステップと、
前記直流電源電圧からＲＧＢ映像信号の各入力に切り替えた直後の、前記リファレンスパルスの電圧レベルをＲ、Ｇ、Ｂ毎に各々格納するステップと、
前記格納されたＲ、Ｇ、Ｂ毎の各リファレンスパルスの電圧レベルと検出パルスによりレベルシフトされたＲ、Ｇ、Ｂ毎の各リファレンスパルスの電圧レベルとが一致するように、前記Ｒ、Ｇ、Ｂ毎の各第二基準電圧を変化させるステップと
を有することを特徴とする請求項５または６に記載のオートカットオフ回路のミュート解除方法。
【請求項８】
ｎ（ｎは２以上の自然数）個の陰極線管を表示部として使用するマルチ映像表示装置を構成するｎ面の各表示部に対して個別にオートカットオフ回路をｎ個設ける場合、
前記直流電源電圧からＲＧＢ映像信号の各入力に切り替える信号を、全ｎ個のオートカットオフ回路が全て出力するまではその切り替える信号を保留するステップと、
全てのオートカットオフ回路が前記切り替える信号を出力した場合に、前記マルチ映像表示装置を構成する全表示部に対して一斉に前記切り替える信号を出力するステップ
を有することを特徴とする請求項５〜７の何れかに記載のオートカットオフ回路のミュート解除方法。
【発明の詳細な説明】
【０００１】
【発明の属する技術分野】
本発明は、ＣＲＴ（陰極線管）を用いるテレビジョン受信機あるいはモニター等の映像表示装置おける映像信号のカットオフを自動的に制御する回路に関し、特に、映像表示装置の電源をオンする時に映像信号をカットすることで映像をミュートする機能に関する。
【０００２】
【従来の技術】
従来の映像表示装置のオートカットオフ（以後ＡＫＢと略す）回路としては、例えば、映像信号の１フィールド毎の所定箇所（基線期間）に基準となるリファレンスパルスを付加し、そのリファレンスパルスによって得られるカソード電流をパルス電圧に変換し、そのパルス電圧を所定の基準電圧と比較することにより映像表示動作の安定度を検出してパルス出力し、その検出出力のパルスをカウントした結果のアナログ変換値により、映像信号の直流成分をレベルシフトすることで、カットオフ特性の制御を行うものが知られている（例えば、特許文献１参照）。
【０００３】
また、例えば、特許文献１の映像表示装置の直流成分をレベルシフトして実施するカットオフ特性の制御とは別個に独立して、映像信号の直流成分を制御することで出力映像の色温度の調整ができるものが知られている（例えば、特許文献２参照）。
【０００４】
さらに、例えば、特許文献１の映像表示装置の電源オンから映像表示動作が安定するまでは、１フィールド間に複数単位で供給されるリファレンスパルスに基づく電圧と基準電圧とを比較した出力をカウントし、映像表示装置における映像表示動作が安定したら、Ｒ、Ｇ、Ｂすべてのカソード電流の検出時点から所定の計数値までをカウントするようにして映像表示動作が安定したことを判断できるものが知られている（例えば、特許文献３参照）。
【０００５】
【特許文献１】
特開平５−２３６５００号公報（第２−３頁、第１図）
【特許文献２】
特開平５−２３６５０１号公報（第２−３頁、第１図）
【特許文献３】
特開平５−２３６５０２号公報（第２−３頁、第１図）
【０００６】
【発明が解決しようとする課題】
映像表示装置には、電源オン時の画面表示が始まる際に、煩わしい飽和した映像や赤、青、緑の特定の色が強い違和感のある映像を表示させないように映像をミュートさせるオートカットオフ回路が備えられている。上記したように従来の映像表示装置のオートカットオフ回路では、カソード電流をパルス電圧に変換した電圧が所定の基準電圧を超える場合のパルス電圧出力をカウントすることで、映像表示動作が安定したことを検出していた。従って、その映像表示動作の安定を示す検出結果が出た時点より前のいずれかの時点で動作が安定したことを知ることはできるが、実際に安定した状態に至った時点、あるいは安定した状態に近い時点にいつ至ったかを知ることはできなかった。
映像表示装置の映像ミュートを解除するタイミングは、使用者にとっては一刻も早いことが望まれるものである。ところが、従来の映像表示装置のオートカットオフ回路では、上記したように実際の動作の安定時点よりも遅れる場合があり、適切な時期に映像ミュートを解除できないという問題点があった。
【０００７】
本発明は上記した問題を解決するためになされたものであって、映像表示動作の安定時点を知ることができ、映像ミュート解除を適切なタイミングで制御できる映像表示装置のオートカットオフ回路を提供することを目的とする。
【０００８】
【課題を解決するための手段】
上記した目的を達成するために、本発明に係るオートカットオフ回路は、陰極線管のＲ（赤）、Ｇ（緑）、Ｂ（青）の各色毎に分離されたＲＧＢ映像信号における１フィールド毎の帰線期間または該ＲＧＢ映像信号が入力されない映像ミュート状態ではリファレンスパルスを基準電圧となる直流電源電圧に付加し、該リファレンスパルスから陰極線管を駆動するためにＲ、Ｇ、Ｂ毎に生成される各カソード電流を変換した各パルス電圧の波高値が第一基準電圧値以上になった場合にＲ、Ｇ、Ｂ毎に各々第一検出信号を出力し、該第一検出信号によりＲ、Ｇ、Ｂ毎に前記リファレンスパルスの電圧レベルを漸増あるいは漸減させるオートカットオフ回路であって、
リファレンスパルスの電圧レベルが第二基準電圧値以下になった場合にＲ、Ｇ、Ｂ毎に各々第二検出信号を出力する第二検出手段と、
第一検出信号と第二検出信号とが双方ともに検出された場合にＲ、Ｇ、Ｂ毎に各々動作安定信号を出力する色別の動作安定度判断手段と、
各動作安定判断手段からＲ、Ｇ、Ｂ毎の全ての動作安定信号が出力された場合には、直流電源電圧からＲＧＢ映像信号の各入力に切り替えるミュート解除手段と、
リファレンスパルスの電圧レベルを、第一検出信号によりＲ、Ｇ、Ｂ毎に漸増あるいは漸減させ、動作安定信号により設定するレベルシフト手段と
を備える。
【０００９】
また、上記した目的を達成するために、本発明に係るオートカットオフ回路のミュート解除方法は、陰極線管のＲ（赤）、Ｇ（緑）、Ｂ（青）の各色毎に分離されたＲＧＢ映像信号における１フィールド毎の帰線期間または該ＲＧＢ映像信号が入力されない映像ミュート状態ではリファレンスパルスを基準電圧となる直流電源電圧に付加し、該リファレンスパルスから陰極線管を駆動するためにＲ、Ｇ、Ｂ毎に生成される各カソード電流を変換した各パルス電圧の波高値が第一基準電圧値以上になった場合にＲ、Ｇ、Ｂ毎に各々第一検出信号を出力し、該第一検出信号によりＲ、Ｇ、Ｂ毎に前記リファレンスパルスの電圧レベルを漸増あるいは漸減させるオートカットオフ回路において、
リファレンスパルスの電圧レベルが第二基準電圧値以下になった場合にＲ、Ｇ、Ｂ毎に各々第二検出信号を出力するステップと、
第一検出信号と第二検出信号とが双方ともに検出された場合にＲ、Ｇ、Ｂ毎に各々動作安定信号を出力するステップと、
リファレンスパルスの電圧レベルを、第一検出信号によりＲ、Ｇ、Ｂ毎に漸増あるいは漸減させ、動作安定信号により設定するステップと、
Ｒ、Ｇ、Ｂ毎の全ての動作安定信号が出力された場合には、直流電源電圧からＲＧＢ映像信号の各入力に切り替える信号を出力するステップ
を有する。
【００１０】
【発明の実施の形態】
以下、本発明をその実施の形態を示す図面に基づいて具体的に説明する。
【００１１】
実施の形態１．
図１は、本発明の実施の形態１となる映像表示装置のオートカットオフ回路を示すブロック図である。
図１のオートカットオフ回路において、入力端子１は、Ｒ（赤）の映像信号が入力される端子であり、入力端子２は、Ｇ（緑）の映像信号が入力される端子であり、入力端子３は、Ｂ（青）の映像信号が入力される端子である。スイッチブロック４は、Ｒ（赤）の映像信号の電圧と基準電圧とを切り替えると共に、その切り替えられた方の電圧と後述するレベルシフトされた電圧とを切り替えることでリファレンスパルスを付加するブロックである。スイッチブロック４は、陰極線管のＲの映像信号が入力されない状態でリファレンスパルスを付加するための基準電圧Ｅｏである直流電圧電源４ａと、入力端子１からのＲの映像信号の入力と直流電圧電源４ａからの基準電圧Ｅｏの入力とを切り替えるＤＣ／映像切替スイッチ４ｂ（第一切替スイッチ手段）と、ＤＣ／映像切替スイッチ４ｂで切り替えられた方の電圧とレベルシフトされた電圧とを切り替えてリファレンスパルスを付加するパルス生成スイッチ４ｃ（第二切替スイッチ手段）を有する。
【００１２】
スイッチブロック７は、Ｇ（緑）の映像信号の電圧と基準電圧とを切り替えると共に、その切り替えられた方の電圧と後述するレベルシフトされた電圧とを切り替えることでリファレンスパルスを付加するブロックであり、その内部構成は、入出力される信号がＧ（緑）の映像信号に関するものになること以外はスイッチブロック４と同様である。スイッチブロック１０は、Ｂ（青）の映像信号の電圧と基準電圧とを切り替えると共に、その切り替えられた方の電圧と後述するレベルシフトされた電圧とを切り替えることでリファレンスパルスを付加するブロックであり、その内部構成は、入出力される信号がＢ（青）の映像信号に関するものになること以外はスイッチブロック４と同様である。
【００１３】
ＣＲＴドライブ部５は、Ｒ（赤）の映像信号に基づいてＲ（赤）色のＣＲＴ用カソード電流を生成する回路部である。ＣＲＴドライブ部８は、Ｇ（緑）の映像信号に基づいてＧ（緑）色のＣＲＴ用カソード電流を生成する回路部である。ＣＲＴドライブ部１１は、Ｂ（青）の映像信号に基づいてＢ（青）色のＣＲＴ用カソード電流を生成する回路部である。陰極線管（ＣＲＴ）１３は、映像信号を表示する陰極線管である。
【００１４】
レベルシフト部６（レベルシフト手段）は、Ｒ（赤）の映像信号の入力あるいは直流電圧電源４ａの入力に付加するリファレンスパルスの波高値（電圧レベル）を制御する回路部である。また、レベルシフト部６に入力する原リファレンスパルスＲＰｒは、波高値を制御する前の最小波高値となるリファレンスパルスである。レベルシフト部９は、Ｇ（緑）の映像信号の入力あるいは直流電圧電源の入力に付加するリファレンスパルスの波高値（電圧レベル）を制御する回路部であり、原リファレンスパルスＲＰｇが入力される。レベルシフト部１２は、Ｂ（青）の映像信号の入力あるいは直流電圧電源の入力に付加するリファレンスパルスの波高値（電圧レベル）を制御する回路部であり、原リファレンスパルスＲＰｂが入力される。
【００１５】
検出抵抗１４は、陰極線管（ＣＲＴ）１３のカソードに流れる電流を電圧に変換するための抵抗である。コンデンサ１５は、カソード電流が変換された電圧をクランプするためのＣ−ＣＵＴコンデンサであり、クランプパルス発生部１６は、クランプパルスを発生させ、クランプ部１７（パルス電圧変換手段）は、コンデンサ１５の出力電圧をクランプしてパルス電圧にし、クランプ電圧発生部１８は、クランプパルスを発生させる場合の基準電圧であるクランプ電圧Ｖｏを発生させる。比較電圧発生部１９は、変換された各パルス電圧の波高値と比較するための検出電圧の波高値である第一基準電圧値（比較電圧）ΔＶを発生させる。検出電圧切替スイッチ２０は、Ｒ、Ｇ、Ｂのそれぞれの各パルス電圧を検出するためにクランプ部１７の出力をＲ、Ｇ、Ｂそれぞれのコンパレータに切り替えるスイッチである。
【００１６】
コンパレータ２１（第一検出手段）は、−側に入力される比較電圧発生部１９の電圧と＋側に入力される検出されたＲのパルス電圧を比較して比較電圧ΔＶ以上である場合に出力（第一検出信号）を発生し、コンパレータ２２（第一検出手段）は、−側に入力される比較電圧発生部１９の電圧と＋側に入力される検出されたＧのパルス電圧を比較して比較電圧ΔＶ以上である場合に出力（第一検出信号）を発生し、コンパレータ２３（第一検出手段）は、−側に入力される比較電圧発生部１９の電圧と＋側に入力される検出されたＢのパルス電圧を比較して比較電圧ΔＶ以上である場合に出力（第一検出信号）を発生する。チャージコンデンサ２４は、コンパレータ２１のＲの出力をチャージし、チャージコンデンサ２５は、コンパレータ２２のＧの出力をチャージし、チャージコンデンサ２６は、コンパレータ２３のＢの出力をチャージする。タイミングパルス入力端子２８は、検出電圧切替スイッチ２０にＲ、Ｇ、Ｂのそれぞれの各パルス電圧を検出するためのタイミングパルス信号を入力する。
【００１７】
また、レベルシフト部６は、コンパレータ２１のＲの出力（第一検出信号）をチャージしたチャージコンデンサ２４の電圧により、原リファレンスパルスＲＰｒの波高値を制御（増減）すると共にパルス生成スイッチ４ｃ（第二切替スイッチ手段）を制御してＲ（赤）の映像信号の入力あるいは直流電圧電源４ａの入力に付加する。コンパレータ２１のＲの出力（第一検出信号）が多くなれば、チャージコンデンサ２４の電圧も増加し、原リファレンスパルスＲＰｒの波高値が減少し、コンパレータ２１のＲの出力（第一検出信号）が無ければ、チャージコンデンサ２４の電圧も無くなり、原リファレンスパルスＲＰｒの波高値が増加する。同様に、レベルシフト部９は、コンパレータ２２のＧの出力（第一検出信号）をチャージしたチャージコンデンサ２５の電圧により、原リファレンスパルスＲＰｇの波高値を制御（増減）すると共にパルス生成スイッチ（不図示：第二切替スイッチ手段）を制御してＧ（緑）の映像信号の入力あるいは直流電圧電源の入力に付加する。レベルシフト部１２は、コンパレータ２３のＢの出力（第一検出信号）をチャージしたチャージコンデンサ２６の電圧により、原リファレンスパルスＲＰｂの波高値を制御（増減）すると共にパルス生成スイッチ（不図示：第二切替スイッチ手段）を制御してＢ（青）の映像信号の入力あるいは直流電圧電源の入力に付加する。
【００１８】
映像ミュート解除回路２７は、本発明における中心的な動作をする回路である。直流電圧電源２７ａは、Ｂ（青）のレベルシフトされたリファレンスパルスの電圧の波高値（電圧レベル）を判断するための第二基準電圧値（Ｅｂ）を供給する。コンパレータ２７ｂ（第二検出手段）は、レベルシフト部１２から出力されたＢ（青）のリファレンスパルスの電圧の波高値（電圧レベル）を−側に入力し、＋側に入力される第二基準電圧値（Ｅｂ）と比較し、第二基準電圧値（Ｅｂ）以下になった場合にＢについての第二検出信号を出力する。ホールドコンデンサ２７１ｂは、コンパレータ２７ｂから出力される第二検出信号の出力電圧をホールドする。２入力のＡＮＤ回路２７ｇ（動作安定度判断手段）は、コンパレータ２３（第一検出手段）のＢの出力（第一検出信号）と、コンパレータ２７ｂ（第二検出手段）のＢの出力（第二検出信号）とが入力され、両者が同時に入力されてＡＮＤ条件を満足する場合にＢ（青）のリファレンスパルスのレベルが安定したことを示すＢ（青）の動作安定信号をレベルシフト部１２（レベルシフト手段）とＡＮＤ回路２７ｋに出力する。
【００１９】
同様にして、直流電圧電源２７ｃは、Ｇ（緑）のレベルシフトされたリファレンスパルスの電圧の波高値（電圧レベル）を判断するための第二基準電圧値（Ｅｇ）を供給する。コンパレータ２７ｄ（第二検出手段）は、レベルシフト部９から出力されたＧ（緑）のリファレンスパルスの電圧の波高値（電圧レベル）を−側に入力し、＋側に入力される第二基準電圧値（Ｅｇ）と比較し、第二基準電圧値（Ｅｇ）以下になった場合にＧについての第二検出信号を出力する。ホールドコンデンサ２７１ｄは、コンパレータ２７ｄから出力される第二検出信号の出力電圧をホールドする。２入力のＡＮＤ回路２７ｈ（動作安定度判断手段）は、コンパレータ２２（第一検出手段）のＧの出力（第一検出信号）と、コンパレータ２７ｄ（第二検出手段）のＧの出力（第二検出信号）とが入力され、両者が同時に入力されてＡＮＤ条件を満足する場合にＧ（緑）のリファレンスパルスのレベルが安定したことを示すＧ（緑）の動作安定信号をレベルシフト部９（レベルシフト手段）とＡＮＤ回路２７ｋに出力する。
【００２０】
また、直流電圧電源２７ｅは、Ｒ（赤）のレベルシフトされたリファレンスパルスの電圧の波高値（電圧レベル）を判断するための第二基準電圧値（Ｅｒ）を供給する。コンパレータ２７ｆ（第二検出手段）は、レベルシフト部６から出力されたＲ（赤）のリファレンスパルスの電圧の波高値（電圧レベル）を−側に入力し、＋側に入力される第二基準電圧値（Ｅｒ）と比較し、第二基準電圧値（Ｅｒ）以下になった場合にＲについての第二検出信号を出力する。ホールドコンデンサ２７１ｆは、コンパレータ２７ｆから出力される第二検出信号の出力電圧をホールドする。２入力のＡＮＤ回路２７ｊ（動作安定度判断手段）は、コンパレータ２１（第一検出手段）のＲの出力（第一検出信号）と、コンパレータ２７ｆ（第二検出手段）のＲの出力（第二検出信号）とが入力され、両者が同時に入力されてＡＮＤ条件を満足する場合にＲ（赤）のリファレンスパルスのレベルが安定したことを示すＲ（赤）の動作安定信号をレベルシフト部６（レベルシフト手段）とＡＮＤ回路２７ｋに出力する。
【００２１】
３入力のＡＮＤ回路２７ｋ（ミュート解除手段）は、各２入力ＡＮＤ回路２７ｇ、２７ｈ、２７ｊ（動作安定判断手段）からＲ、Ｇ、Ｂ毎の全ての動作安定信号が出力されて、３入力のＡＮＤ条件を満足する場合には、ＤＣ／映像切替スイッチ４ｂ（第一切替スイッチ手段）を基準電圧Ｅｏとなる直流電圧電源４ａからＲＧＢ映像信号の各入力に切り替える信号を出力する。これにより、ミュート状態が解除される。
【００２２】
ここで、レベルシフト部６は、コンパレータ２１の出力チャージ電圧により原リファレンスパルスの波高値が設定されてＲ（赤）の映像信号の入力（１フィールド毎の帰線期間）に付加するようになる。同様にレベルシフト部９は、コンパレータ２２の出力チャージ電圧により原リファレンスパルスの波高値が設定されてＧ（緑）の映像信号の入力（１フィールド毎の帰線期間）に付加するようになる。レベルシフト部１２も、コンパレータ２３の出力チャージ電圧により原リファレンスパルスの波高値が設定されてＢ（青）の映像信号の入力（１フィールド毎の帰線期間）に付加するようになる。このように、レベルシフト部６、９、１２（レベルシフト手段）は、リファレンスパルスの電圧レベルを、第一検出信号によりＲ、Ｇ、Ｂ毎に漸増あるいは漸減させ、動作安定信号により設定する機能を有する。
【００２３】
図２は、図１に示したオートカットオフ回路における一部の回路の入出力波形のタイミングの例を示す図である。
図２の入出力波形では、Ｒ、Ｇ、Ｂ毎の各信号の処理動作はほぼ同じであるので、Ｒの信号波形の例について代表として示し、入出力信号を除いて重複する他の色の波形の例については記載を省略する。図２（ａ）は、Ｒ（赤）のスイッチブロック４からＣＲＴドライブ部５への出力波形である。図２（ｂ）は、Ｒ（赤）のコンパレータ２１（第一検出手段）の＋側入力波形である。図２（ｃ）は、Ｒ（赤）のコンパレータ２１（第一検出手段）の出力波形である。図２（ｄ）は、Ｒ（赤）のコンパレータ２７ｆ（第二検出手段）の出力波形である。図２（ｅ）は、Ｒ（赤）の２入力のＡＮＤ回路２７ｊ（動作安定度判断手段）の出力波形である。図２（ｆ）は、Ｇ（緑）の２入力のＡＮＤ回路２７ｈ（動作安定度判断手段）の出力波形である。図２（ｇ）は、Ｂ（青）の２入力のＡＮＤ回路２７ｇ（動作安定度判断手段）の出力波形である。図２（ｈ）は、３入力のＡＮＤ回路２７ｋ（ミュート解除手段）の出力波形である。図２（ｊ）は、陰極線管のＲ（赤）のカソードに印加される電圧波形である。
【００２４】
図２（ａ）では、基準電圧Ｅｏに対して、ａ〜ｅの各タイミングで、レベルシフト部６で波高値が制御されたリファレンスパルスが印加されている。タイミングａのリファレンスパルスは、最初のリファレンスパルスであるので波高値が最小であり、第二基準電圧値（Ｅｒ）未満である。このタイミングａの場合には、例えば、映像表示装置の電源投入直後のように陰極線管（ＣＲＴ）１３のヒータ（図示せず）が温まっていないためカソードに電流が流れないタイミング領域Ａであるので、図１の入力端子１から映像信号が入力されても、図２（ｂ）のタイミングａに示したようにコンパレータ２１（第一検出手段）の＋側にはカソード電流の検出パルス（Ｖｏ＋ΔＶ）が入力されず”Ｌ”レベルになり、また、第二基準電圧値（Ｅｒ）未満でもあるので、当然ながら図２（ｃ）のタイミングａに示したようにコンパレータ２１からはＲの第一検出信号が”Ｌ”レベルのままで出力されない。この場合、図２（ｈ）のタイミングａに示すように、ミュート解除手段である３入力のＡＮＤ回路２７ｋからは、ＤＣ／映像切替スイッチ４ｂ（第一切替スイッチ手段）で、入力端子１からのＲの映像信号の入力ではなく直流電圧電源４ａからの基準電圧Ｅｏの入力が選択され、例えば、入力端子１からのＲの映像信号の入力（”Ｈ”レベル）に設定されている場合には、切り替えられてミュートするように信号が”Ｈ”レベルから”Ｌ”レベル（基準電圧Ｅｏ）にされて出力される。その後、陰極線管（ＣＲＴ）１３にカソード電流が流れない状態がしばらく続くと、レベルシフト部６により付加されたリファレンスパルスの波高値が次第に大きくなり、図２（ａ）のタイミングｂのリファレンスパルスのように制御上限まで大きくなる。
【００２５】
図２（ａ）のタイミングｂのリファレンスパルスは、第二基準電圧値（Ｅｒ）は超過しているが、陰極線管のカソードに電流が流れていないタイミング領域Ａであるので図２（ｂ）のタイミングｂに示したようにコンパレータ２１（第一検出手段）の＋側にはカソード電流の検出パルス（Ｖｏ＋ΔＶ）が入力されず、タイミングａの場合と同様に図２（ｂ）のタイミングｃではコンパレータ２１からＲの第一検出信号が出力されていない。この時点では、陰極線管（ＣＲＴ）１３にカソード電流が流れはじめ、カソードに流れた電流が検出抵抗１４により電圧に変換され、検出電圧となる。この検出電圧は、比較電圧部１９のΔＶより大きな波高値となった場合、コンパレータ２１の出力を”Ｈ”レベルとし、チャージコンデンサ２４にその電圧がチャージされる。そのため、レベルシフト部６では、パルス生成スイッチ４ｃ（第二切替スイッチ手段）を切り替えて付加するリファレンスパルスの波高値を下げる。それと同時に、ＡＮＤ回路２７ｊの入力に、この”Ｈ”レベル信号を印加するが、他方のコンパレータ２７ｆの出力は、“Ｌ”であるため、ＡＮＤ回路２７ｊの出力も“Ｌ”のままとなる。その結果、スイッチ４ａの動作はそのままを維持することとなり、映像ミュート解除には至らない。
【００２６】
図２（ａ）のタイミングｃのリファレンスパルスは、第二基準電圧値（Ｅｒ）を超過しており、陰極線管のカソードに電流が流れ始めたタイミング領域Ｂであるので図２（ｂ）のタイミングｃに示したようにコンパレータ２１（第一検出手段）の＋側には検出パルス（Ｖｏ＋ΔＶ）が入力される。従って、図２（ｃ）のタイミングｃではコンパレータ２１からＲの第一検出信号が”Ｌ”レベルから”Ｈ”レベルになって出力される。この時点では、陰極線管（ＣＲＴ）１３のカソードに流れる電流がさらに増加しており、その結果コンパレータ２１の出力信号の”Ｈ”レベルが続き、レベルシフト部６では、パルス生成スイッチ４ｃ（第二切替スイッチ手段）で付加されるリファレンスパルスの波高値が下がり続ける。
【００２７】
次に、図２（ａ）のタイミングｄのリファレンスパルスは、第二基準電圧値（Ｅｒ）に達しており、陰極線管のカソードに電流が流れ始めたタイミング領域Ｂ以降であるので図２（ｂ）のタイミングｄに示したようにコンパレータ２１（第一検出手段）の＋側には検出パルス（Ｖｏ＋ΔＶ）が入力され、図２（ｃ）のタイミングｄでもコンパレータ２１からＲの第一検出信号が”Ｌ”レベルから”Ｈ”レベルになって出力され続けている。
【００２８】
図２（ｄ）のタイミングｄでは、さらに、図１に示したＲ（赤）のコンパレータ２７ｆ（第二検出手段）の第二検出信号も”Ｌ”レベルから”Ｈ”レベルになって出力されている。このＲの第二検出信号の出力は、レベルシフト部６で波高値が制御されたリファレンスパルスの電圧レベルが第二基準電圧値Ｅｒ（＝２７ｅ）以下になった場合を示している。その結果、図２（ｅ）のタイミングｄでは、図１に示したＲ（赤）のＡＮＤ回路２７ｊ（動作安定度判断手段）の動作安定信号が”Ｌ”レベルから”Ｈ”レベルになって出力されている。このＲの動作安定信号の出力は、ＡＮＤ回路２７ｊ（動作安定度判断手段）で第一検出信号と第二検出信号とが双方ともに検出された場合を示す。つまり、リファレンスパルスの波高値が基準電圧Ｅｒ（直流電圧電源２７ｅ）以下になると、コンパレータ２７ｆの出力信号が”Ｈ”レベルとなり、その”Ｈ”レベルがホールドコンデンサ２７１ｆにチャージされる。この時には、ＡＮＤ回路２７ｊの入力は、ホールドコンデンサ２７１ｆの電圧信号”Ｈ”レベルと、他方の入力であるコンパレータ２１の出力信号がすでに”Ｈ”レベルとなっているため、ＡＮＤ回路２７ｊの出力は初めて”Ｈ”レベル信号に転じる。しかしながら、Ｇ、Ｂのコンパレータ２７ｈ、２７ｇの出力信号が“Ｌ”の状態であるため、ＡＮＤ回路２７ｋの出力は、“Ｌ”のままであり、映像ミュート解除には至らない。
【００２９】
この時点でＲの映像信号についてのみ考慮すれば、ミュートを解除して映像信号に切り替えてもよいが、ＲＧＢ映像信号にはＲの他にＧとＢの映像信号もあるので、ＧとＢの映像信号についても同様な動作安定信号が出力されるまで待たなければならない。
【００３０】
Ｒ、Ｇ、Ｂ毎の各信号の処理動作はほぼ同じであるので、図２（ｅ）のタイミングｄでＲの動作安定信号がＡＮＤ回路２７ｊから出力されたすぐ後に、図２（ｆ）のタイミングｄでＧの動作安定信号がＡＮＤ回路２７ｈから”Ｌ”レベルから”Ｈ”レベルになって出力され、そのすぐ後に、図２（ｇ）のタイミングｄでＢの動作安定信号がＡＮＤ回路２７ｇから”Ｌ”レベルから”Ｈ”レベルになって出力される。この場合の各色の動作安定信号の出力間隔は、例えば、検出電圧切替スイッチ２０の切替タイミングの間隔により生ずるものである。
【００３１】
図２（ｅ）〜（ｇ）により、各動作安定判断手段（ＡＮＤ回路２７ｊ、ｈ、ｇ）からＲ、Ｇ、Ｂ毎の全ての動作安定信号が”Ｌ”レベルから”Ｈ”レベルになって出力されたことになるので、図２（ｈ）のタイミングｄに示すように、ミュート解除手段である３入力のＡＮＤ回路２７ｋからは、ＤＣ／映像切替スイッチ４ｂ（第一切替スイッチ手段）で直流電圧電源４ａからの基準電圧Ｅｏの入力と入力端子１からのＲの映像信号の入力とを切り替えてミュートを解除するように信号が”Ｌ”レベルから”Ｈ”レベルにされて出力される。つまり、上記したＲと同様に、Ｇ、Ｂについても、陰極線管（ＣＲＴ）１３からカソード電流が流れると、検出抵抗１４により、Ｇ、Ｂの検出パルスが発生し、それぞれのコンパレータ２２および２３の出力信号が”Ｈ”レベルとなる。かつ、パルス生成スイッチ４ｃ（第二切替スイッチ手段）に付加されたＧ、Ｂのリファレンスパルスの波高値が、それぞれ基準電圧Ｅｇ（直流電圧電源２７ｃ）、基準電圧Ｅｂ（直流電圧電源２７ａ）以下となると、Ｇ、Ｂそれぞれのコンパレータ２７ｈ、２７ｇの出力信号が”Ｈ”レベルとなる。この時初めて、ＡＮＤ回路２７ｋの入力信号がすべて”Ｈ”レベルとなり、スイッチ４ｂが映像信号を選択し、同様にＧ、Ｂについても、スイッチブロック７、１０において映像信号を選択する。よって、この時に映像ミュートが解除される。なお、この時点では、ＡＫＢ動作は安定状態に近いがまだ非安定領域Ｃである。
【００３２】
すると、図２（ａ）のタイミングｄ（タイミング領域ｃ＝映像ミュート解除領域：ＡＫＢは非安定な領域）に示したように１フレーム分のＲＧＢ映像信号が入力され、リファレンスパルス以外の映像信号の電流が流れて、図２（ｊ）のタイミングｄ（タイミング領域ｃ）に示したように図２（ａ）の電圧を反転させたカソード電圧が”Ｈ”レベルから”Ｌ”レベルになって発生する。この図２（ｊ）のタイミングｄ（タイミング領域ｃ）のカソード電圧では、入力信号が直流電圧電源４ａの基準電圧ＥｏからＲの映像信号に切り替えられているので、Ｒの映像信号の帰線期間にレベルシフトされた電圧（Ｖｒｅｆ）とを切り替えることでリファレンスパルスが付加される。その後、図２（ａ）のタイミングｄ〜ｅに示すように、Ｒ、Ｇ、Ｂそれぞれのレベルシフト部６、９、１２において、スイッチブロック４、７、１０で付加するリファレンスパルスの波高値が減少され、最終的にＡＫＢ動作は安定領域Ｄに達する。
【００３３】
図３は、図１に示したオートカットオフ回路のミュート解除動作の一例を示すフローチャートである。
オートカットオフ回路は、まず、映像表示装置の電源投入されたか否かを判断する（Ｓ１）。電源が投入されない場合（Ｓ１：ＮＯ）には、再びステップＳ１を実施して待ち受け、電源が投入された場合（Ｓ１：ＹＥＳ）には、スイッチブロック４のＤＣ／映像切替スイッチ４ｂ（第一切替スイッチ手段）で、入力信号をＲＧＢ映像信号から、直流電圧電源４ａからの基準電圧Ｅｏに切り替え、スイッチブロック７、１０も同様に切り替える（Ｓ２）。なお、前回の映像表示装置の電源遮断時あるいは電源投入時等に予め基準電圧Ｅｏに切り替わっている場合には、このステップＳ２は省略しても良い。
【００３４】
その後、オートカットオフ回路は、レベルシフト部６、９、１２で、各色毎の原リファレンスパルスの波高値をレベルシフトしてリファレンスパルスを生成し（Ｓ３）、スイッチブロック４、７、１０で各色毎に基準電圧Ｅｏに付与し、ＣＲＴドライブ部５、８、１１でカソード電流を生成する。さらに、オートカットオフ回路は、検出抵抗１４およびクランプ部１７等によりリファレンスパルスのカソード電流をパルス電圧に変換し（Ｓ４）、コンパレータ２１、２２、２３（第一検出手段）によりそのパルス電圧が第一基準電圧値（Ｖｏ＋ΔＶ）以上であるか否かを判断する（Ｓ５）。パルス電圧が第一基準電圧値以上の場合（Ｓ５：ＹＥＳ）には、コンパレータ２１、２２、２３（第一検出手段）から第一検出信号を出力する（Ｓ６）が、パルス電圧が第一基準電圧値以上ではない場合（Ｓ５：ＮＯ）には、コンパレータ２１、２２、２３（第一検出手段）から何も出力しないで次のステップＳ７に進む。
【００３５】
オートカットオフ回路のレベルシフト部６、９、１２では、第一検出信号がチャージされたチャージコンデンサ２４、２５、２６の電圧から第一検出信号の有無を判断し（Ｓ７）、第一検出信号が有る場合（Ｓ７：ＹＥＳ）には、リファレンスパルスの電圧レベルを漸減シフトし（Ｓ８）、第一検出信号が無い場合（Ｓ７：ＮＯ）には、リファレンスパルスの電圧レベルを漸増シフトする（Ｓ９）。
【００３６】
一方、オートカットオフ回路の映像ミュート解除回路２７では、コンパレータ２７ｆ、２７ｄ、２７ｂ（第二検出手段）によりそのリファレンスパルスの電圧レベルが第二基準電圧値Ｅｒ、Ｅｇ、Ｅｂ以下であるか否かを判断する（Ｓ１０）。リファレンスパルスの電圧レベルが第二基準電圧値以下である場合（Ｓ１０：ＹＥＳ）には、コンパレータ２７ｆ、２７ｄ、２７ｂ（第二検出手段）から第二検出信号を出力する（Ｓ１１）が、リファレンスパルスの電圧レベルが第二基準電圧値以下で無い場合（Ｓ１０：ＮＯ）には、コンパレータ２７ｆ、２７ｄ、２７ｂ（第二検出手段）からは何も出力せずに次のステップＳ１２に進む。
【００３７】
ミュート解除回路２７内のＡＮＤ回路２７ｊ、２７ｈ、２７ｇ（動作安定度判断手段）では、第一検出信号と第二検出信号の双方が同時に入力されたか否かを判断し（Ｓ１２）、双方が同時に入力された場合（Ｓ１２：ＹＥＳ）には、動作安定信号を出力する（Ｓ１３）が、双方が同時に入力されない場合（Ｓ１２：ＮＯ）には、ＡＮＤ回路２７ｊ、２７ｈ、２７ｇからは何も出力せずに次のステップＳ１４に進む。
【００３８】
ミュート解除回路２７内のＡＮＤ回路２７ｋ（ミュート解除手段）は、ＡＮＤ回路２７ｊ、２７ｈ、２７ｇからＲＧＢ各色毎の動作安定信号が全て入力されたか否かを判断し（Ｓ１４）、各色毎の動作安定信号が全て入力された場合（Ｓ１４：ＹＥＳ）には、スイッチブロック４のＤＣ／映像切替スイッチ４ｂ（第一切替スイッチ手段）で、入力信号を直流電圧電源４ａからの基準電圧Ｅｏから、ＲＧＢ映像信号に切り替え、スイッチブロック７、１０も同様に切り替えて映像ミュートを解除する（Ｓ１５）が、各色毎の動作安定信号が全て入力されない場合（Ｓ１４：ＮＯ）には、ステップＳ４の処理に戻り、以降の処理を繰り返す。
【００３９】
このように本実施の形態では、ＡＫＢ（オートカットオフ）動作を検出しながら、Ｒ、Ｇ、ＢすべてのＡＫＢ動作が安定となるか、あるいは、その安定状態に近い適切なタイミング映像表示動作の安定時点を知ることができるので、映像ミュートの解除が適切なタイミングとなるように制御することができる。
【００４０】
実施の形態２．
上記した実施の形態１では、陰極線管のＲＧＢ各色毎のカソード電流をパルス電圧に変換した検出信号を用いて映像ミュートを解除するタイミングを適切に制御していたが、映像ミュートは映像表示装置の電源投入時のみでなく、電源投入後の任意の時点でも実施される場合がある。一般的に知られるように、経時変化により陰極線管（ＣＲＴ）１３のカソードに流れる電流が流れにくくなる傾向にあることから、カソード電流に経時変化が発生したタイミングで映像ミュートを実施する場合、実施の形態１では映像ミュートを解除するタイミングを適切に制御できないことがある。そこで、以下に説明する実施の形態２では、実施の形態１の回路にカソード電流に経時変化が発生したタイミングでも映像ミュートを解除するタイミングを適切に制御（補正）できるように回路を付加している。
【００４１】
図４は、本発明の実施の形態２となる映像表示装置のオートカットオフ回路を示すブロック図である。
図４に示した本実施の形態の映像表示装置が、図１に示した実施の形態１の映像表示装置と異なる点は、以下の各点である。
（１）ＲＧＢ各色毎のレベルシフト部６、９、１２に、各々電源投入時の最初の動作安定時のリファレンスパルスの波高値を記憶するメモリ６１、９１、１２１を備える点。
（２）実施の形態１の第二検出手段であるコンパレータ２７ｂ、２７ｄ、２７ｆの＋側に入力する第二基準電圧値（Ｅｂ、Ｅｇ、Ｅｒ）を発生する直流電圧電源２７ａ、２７ｃ、２７ｅが、実施の形態２では固定電圧でなく電圧可変な直流電圧可変電源２７ａ’、２７ｃ’、２７ｅ’に変更される点。
（３）記憶手段であるメモリ６１、９１、１２１に格納されたＲ、Ｇ、Ｂ毎の各リファレンスパルスの電圧レベル（波高値）と、納されたＲ、Ｇ、Ｂ毎の各リファレンスパルスの電圧に相当する電圧に一致するように、直流電圧可変電源２７ａ’、２７ｃ’、２７ｅ’から出力されるＲ、Ｇ、Ｂ毎の各第二基準電圧Ｅｂ、Ｅｇ、Ｅｒを変化させる制御部６２、９２、１２２を備える点。
【００４２】
なお、本実施の形態のＲＧＢ各映像信号の帰線期間には、図２（ａ）および図２（ｊ）のタイミングｄ（タイミング領域ｃ）に示したようにレベルシフトされた電圧（Ｖｒｅｆ）のリファレンスパルスが付加されている。
【００４３】
ここで、本実施の形態の動作の説明をする前に、陰極線管（ＣＲＴ）１３のカソードに流れる電流（カソード電流）は、経時変化により流れにくくなる傾向にあることについて説明する。
【００４４】
図５は、陰極線管（ＣＲＴ）１３のＲＧＢ毎の各カソード電流の減衰率の経時変化特性の一例を示す図である。
図５では、縦軸が各カソード電流の減衰率（％）であり、横軸が経過時間（時間：Ｈｒ）とすることでＲＧＢ毎の各カソード電流の経時変化を示している。また、図５は、経時変化のない初期の時点（経過時間０時間）のカソード電流を１００％（基準）とし、時間の経過によって電流が減少する割合を示したものである。例えば、経過時間Ｔまでは、ＲＧＢ全ての各減衰率はほぼリニアに減衰しているが、経過時間Ｔを境にしてその後はＲとＧのみの減衰率が急激に低下している。なお、上記した経過時間Ｔは、陰極線管（ＣＲＴ）１３によって大きくバラツキがあるため、一概にその時間が何時間であるということは決められない。
【００４５】
図６は、各レベルシフト部６、９、１２において、ＲＧＢ毎の各カソード電流が図５に示したように減衰した場合にＲＧＢ毎の各リファレンスパルスの波高値が変化する量を示した図である。
図６は、経時変化が無い初期のＲＧＢ毎の各リファレンスパルス波高値を１．００（基準）とし、時間の経過（横軸方向）によってリファレンスパルスの波高値が増加する割合を示したものである。例えば、図５とは逆に、経過時間Ｔまでは、ＲＧＢ全ての各リファレンスパルスの波高値はほぼリニアに増加しているが、経過時間Ｔを境にしてその後はＲとＧのリファレンスパルスの波高値のみが急激に増加している。
【００４６】
図６に示したように、ＲＧＢ各映像信号の帰線期間に付加する各リファレンスパルスの波高値は、図２のＡＫＢ安定領域Ｄのように電源投入後に一旦安定した状態になった後でも、カソード電流の経時変化により初期段階から増加する傾向にある。従って、実施の形態１に示したように各リファレンスパルスの波高値が所定の波高値（第二基準電圧値）以下であることを第二検出手段で検出する場合には、そのために使用される基準電圧（第二基準電圧値）も、カソード電流の減少に従って増加させる必要がある。実施の形態１では、電源投入時のミュート解除タイミングを適正に制御するものであったが、本実施の形態では、電源投入後のカソード電流の経時変化（減少）を含めてリファレンスパルスが増加することでミュート解除のタイミング制御が実施の形態１の回路では適正でなくなる場合が発生するため、その基準電圧（第二基準電圧値）をカソード電流の経時変化に追従させて補正することでミュート解除のタイミング制御を適正にするものである。上記したメモリ６１、９１、１２１、直流電圧可変電源２７ａ’、２７ｃ’、２７ｅ’、および、制御部６２、９２、１２２は、その基準電圧（第二基準電圧値）を補正するために用いられるものである。
【００４７】
図７は、図４に示したオートカットオフ回路における図３のフローチャート以降のミュート解除動作の一例を示すフローチャートである。
オートカットオフ回路は、まず、スイッチブロック４、７、１２で基準電圧Ｅｏ等からＲＧＢの各映像信号に切り替えられたか否かを判断する（Ｓ２１）。ＲＧＢの各映像信号に切り替えられない場合（Ｓ２１：ＮＯ）には、再びステップＳ２１を実施して待ち受け、ＲＧＢの各映像信号に切り替えられた場合（Ｓ２１：ＹＥＳ）には、スイッチブロック４のパルス生成スイッチ４ｃ（第二切替スイッチ手段）で、ＲＧＢ映像信号の帰線期間のタイミングでレベルシフトされたリファレンスパルスに切り替えてリファレンスパルスを付加し、スイッチブロック７、１０も同様に切り替えてリファレンスパルスを付加する（Ｓ２２）。
【００４８】
その後、オートカットオフ回路は、その時のＲＧＢ各色毎のリファレンスパルスの波高値の電圧レベルをメモリ６１、９１、１２１に格納し（Ｓ２３）、制御部６２、９２、１２２で、各色毎に各メモリ６１、９１、１２１に格納された電圧レベルと各レベルシフト部６、９、１２でレベルシフトされるリファレンスパルスの電圧レベルに基づき、直流電圧可変電源２７ａ’、２７ｃ’、２７ｅ’の直流電圧（第二基準電圧値Ｅｒ、Ｅｇ、Ｅｂ）を変化させて、両電圧レベルが同一になるように制御を開始する（Ｓ２４）。
【００４９】
コンパレータ２７ｂ、２７ｄ、２７ｆ（第二検出手段）によりリファレンスパルスの電圧が第二基準電圧値Ｅｒ、Ｅｇ、Ｅｂ以下であるか否かを判断する（Ｓ２５）。リファレンスパルスの電圧が第二基準電圧値以下である場合（Ｓ２５：ＹＥＳ）には、コンパレータ２７ｂ、２７ｄ、２７ｆ（第二検出手段）から第二検出信号を出力する（Ｓ２６）が、リファレンスパルスの電圧が第二基準電圧値以下でない場合（Ｓ２５：ＮＯ）には、コンパレータ２７ｂ、２７ｄ、２７ｆ（第二検出手段）から何も出力しないでステップＳ３０に進む。
【００５０】
オートカットオフ回路のレベルシフト部６、９、１２では、ＡＮＤ回路２７ｇ、２７ｈ、２７ｊ（動作安定度判断手段）の動作安定信号は第二検出信号が第一検出信号とともに入力されないと出力されないことから、その動作安定信号により各色毎の第二検出信号の有無を判断し（Ｓ２７）、第二検出信号が有る場合（Ｓ２７：ＹＥＳ）には直流電圧可変電源２７ａ’、２７ｃ’、２７ｅ’の直流電圧を漸減シフトし（Ｓ２８）、第二検出信号が無い場合（Ｓ２７：ＮＯ）には、直流電圧可変電源２７ａ’、２７ｃ’、２７ｅ’の直流電圧を漸増シフトする（Ｓ２９）。
【００５１】
制御部６２、９２、１２２で、各色毎に各メモリ６１、９１、１２１に格納された電圧レベルと各レベルシフト部６、９、１２でレベルシフトされるリファレンスパルスの電圧レベルが等しくなったか否かを判断し（Ｓ３０）、両電圧レベルが同一になった場合（Ｓ３０：ＹＥＳ）には、直流電圧可変電源２７ａ’、２７ｃ’、２７ｅ’の直流電圧（第二基準電圧値Ｅｒ、Ｅｇ、Ｅｂ）をその電圧に設定する（Ｓ３１）が、両電圧レベルが同一にならない場合（Ｓ３０：ＮＯ）には、直流電圧（第二基準電圧値Ｅｒ、Ｅｇ、Ｅｂ）を設定しないでステップＳ３０に進む。オートカットオフ回路は、その時の電圧レベル（波高値）のリファレンスパルスを用いてカットオフ制御を実施する（Ｓ３２）。
【００５２】
オートカットオフ回路は、そのカットオフ制御中にスイッチブロック４のＤＣ／映像切替スイッチ４ｂ（第一切替スイッチ手段）が、入力信号をＲＧＢ映像信号から直流電圧電源４ａからの基準電圧Ｅｏに切り替え、スイッチブロック７、１０も同様に切り替えて映像ミュートが実施されたか否かを判断する（Ｓ３３）。映像ミュートが実施された場合（Ｓ３３：ＹＥＳ）には、図３に示した実施の形態１のステップＳ２〜Ｓ１５の処理を実施してミュート解除の制御を実施する（Ｓ３４）。ここで、再び、スイッチブロック４、７、１２で基準電圧Ｅｏ等からＲＧＢの各映像信号に切り替えられたか否かを判断する（Ｓ３５）。ＲＧＢの各映像信号に切り替えられない場合（Ｓ３５：ＮＯ）には、再びステップＳ３４の処理を繰り返し実施し、ＲＧＢの各映像信号に切り替えられた場合（Ｓ３５：ＹＥＳ）には、処理を終了する。
【００５３】
このように本実施の形態では、実施の形態１に示した、ＡＫＢ動作を検出しながら映像表示動作の安定時点を知ることができ、Ｒ、Ｇ、ＢすべてのＡＫＢ動作が安定となるか、あるいは、その安定状態に近い適切なタイミングで映像ミュートを解除するように制御するという効果に加えて、経時変化前（カソード電流が流れにくくなる前）の安定状態のリファレンスパルスの電圧が得られるようにメモリ６１、９１、１２１、直流電圧可変電源２７ａ’、２７ｃ’、２７ｅ’、および、制御部６２、９２、１２２を用いて、第二検出手段で用いられる基準電圧（第二基準電圧値）を補正するので、カソード電流に経時変化が発生するタイミングであっても映像ミュートを解除するタイミングを適切に制御することができる。経時変化に伴うリファレンスパルスの変化に対して、コンパレータ２７ｂ、２７ｄ、２７ｆは時定数を持っており、瞬間的な変化や変化過程において映像ミュートがかからないようになっている。また、安定したときのリファレンス波高値がメモリ６１、９１、１２１に保存されているため、電源立ち上がり時においても該メモリにより設定された第二基準電圧値Ｅｂ、Ｅｇ、Ｅｒにより適切に映像ミュートを解除可能である。
【００５４】
実施の形態３．
上記した実施の形態１および２では、陰極線管（ＣＲＴ）１３を１個のみ有する映像表示装置のオートカットオフ回路において、適切なタイミングで映像ミュートを解除するように制御できるようにしたが、映像表示装置としては陰極線管（ＣＲＴ）１３を複数個使用したマルチ映像表示装置が知られている。そこで、以下に説明する実施の形態３では、そのようなマルチ映像表示装置に、実施の形態１のオートカットオフ回路を適用する場合の変更点等について説明する、
【００５５】
図８は、本発明の実施の形態３となるマルチ映像表示装置のオートカットオフ回路を示すブロック図である。
図８に示した本実施の形態の映像表示装置は、例えば、図１に示した実施の形態１の映像表示装置を複数段に並べて配置するものであり、例えば、映像表示装置（ＣＲＴ１３）の各段毎に実施の形態１と同様な映像ミュートを制御する回路が必要となる。具体的には各表示部の段毎に、映像ミュートを解除する回路、および、映像ミュート解除信号を発生する回路が設けられる。図８では、第１段目の表示部２０３、第２段目の表示部３０３、および、第ｎ段目の表示部４０３が多段構成になりマルチ映像表示装置を構成している。なお、図８中では、３段目からｎ−１段目までの各段の構成は第１〜２段目あるいは第ｎ段目と同様であるので記載を省略している。
【００５６】
図８のオートカットオフ回路において、入力端子２０１は、例えば、実施の形態１におけるＲＧＢ毎の入力端子１〜３をまとめた第１段目の映像入力端子である。第１段目の映像ミュート解除部２０２は、例えば、実施の形態１におけるスイッチブロック４、７、１２と、レベルシフト部６、９、１２等のように、リファレンスパルスの付加とミュート解除を実施する機能に関する回路部をまとめたものである。第１段目の表示部２０３は、例えば、実施の形態１におけるカソード電流を生成するＣＲＴドライブ部５、８、１１と、映像を表示させる陰極線管（ＣＲＴ）１３等のように映像を表示させる機能に関する回路部をまとめたものである。第１段目の映像ミュート解除信号発生部２０４は、例えば、実施の形態１における上記した入力端子２０１、第１段目の映像ミュート解除部２０２回路、第１段目の表示部２０３を除く残りの機能を有する回路部であり、特に、映像ミュート解除回路２７を含む回路である。また、入力端子２０１、第１段目の映像ミュート解除部２０２、第１段目の映像ミュート解除信号発生部２０４は、第１段目の表示部２０３に映像信号を供給する回路である。
【００５７】
第２段目の表示部３０３に映像信号を供給する回路としては、入力端子３０１、第２段目の映像ミュート解除部３０２、第２段目の映像ミュート解除信号発生部３０４となり、また、第ｎ段目の表示部４０３に映像信号を供給する回路としては、入力端子４０１、第ｎ段目の映像ミュート解除部４０２、第ｎ段目の映像ミュート解除信号発生部４０４となり、それらの構成内容は上記した第１段目の各構成と同様である。
【００５８】
本実施の形態では、例えば、第１段目の映像ミュート解除信号発生部２０４からのミュート解除信号は、直接に第１段目の映像ミュート解除部２０２に出力されず、映像ミュート一斉解除判断用のＡＮＤ回路５０１に入力される。ＡＮＤ回路５０１は、表示部の段数分の入力が可能で、全ての入力がある（Ｈレベル状態）の場合に、映像ミュート一斉解除信号を各段の映像ミュート解除部に出力するものである。
【００５９】
ここで、本実施の形態のようにマルチ映像表示装置では、映像ミュートを一斉に解除する必要性について説明する。
【００６０】
図９は、表示部が複数あるマルチ映像表示装置の正面図の一例を示すものである。
図９のマルチ映像表示装置では、最上段に第１表示部から第６表示部までが並び、最下段に第ｎ−５表示部から第ｎ表示部までがならんでいる。中間の段の表示部の構成は同様であるので記載を省略している。
【００６１】
図９の様に構成されているマルチ映像表示装置では、例えば、マルチ映像表示装置の各表示部に個別に実施の形態１のオートカットオフ回路を適用するのみでは、一部上記したように陰極線管（ＣＲＴ）１３におけるＲＧＢ各色毎のカソード電流の個体差が大きいため、ミュートの解除時間がばらついてしまう。表示部が複数あるマルチ映像表示装置で各表示部のミュート解除タイミングがばらつくと、マルチ映像表示装置の視聴者にとって穴あきあるいは歯欠け等の見苦しい映像を表示させてしまう。このマルチ映像表示装置における見苦しい画面を避けるためには、各表示部のミュート解除タイミングを揃えて一斉に解除する必要がある。つまり、マルチ映像表示装置では、映像が出る時には全ての表示部に一斉に映像が出ることが望ましいので、一斉にミュートが解除されることが望ましいことになる。
【００６２】
そのため、本実施の形態では、図８の各段における映像ミュート解除信号発生部２０４、３０４、４０４からの格段毎の映像ミュート解除信号を、全ての段の映像ミュート解除信号が揃うまでは保留しておき、全てが揃った時点で一斉に格段の映像ミュート解除部２０２、３０２、４０２に向けて映像ミュート解除信号を送出するＡＮＤ回路５０１を設けている。
【００６３】
図１０は、図８のマルチ映像表示装置のオートカットオフ回路のミュート解除動作の一例を示すフローチャートである。
オートカットオフ回路は、まず、マルチ映像表示装置の電源投入されたか否かを判断する（Ｓ４１）。電源が投入されない場合（Ｓ４１：ＮＯ）には、再びステップＳ４１を実施して待ち受け、電源が投入された場合（Ｓ４１：ＹＥＳ）には、各表示部において、図３に示した実施の形態１のステップＳ２〜Ｓ１４の処理を実施する（Ｓ４２）。
【００６４】
その後、オートカットオフ回路は、ＡＮＤ回路５０１で、全ての段（各表示部）毎のオートカットオフ回路から映像ミュート解除信号が出力されたか否かを判断する（Ｓ４３）。ＡＮＤ回路５０１では、全映像ミュート解除信号が出力されない場合（Ｓ４３：ＮＯ）には、ＡＮＤ回路５０１から何も出力しないで入力した格段毎の映像ミュート信号を保留する（Ｓ４４）が、全映像ミュート解除信号が出力された場合（Ｓ４３：ＹＥＳ）には、ＡＮＤ回路５０１から各段の映像ミュート解除部２０２、３０２、４０２に向けて映像ミュート一斉解除信号を出力する（Ｓ４５）。
【００６５】
このように本実施の形態では、実施の形態１の効果に加えて、マルチ映像表示装置の各表示部毎の映像ミュート解除信号が全て揃うまでは保留し、全て揃った時点で各表示部に向けて一斉に映像ミュートを解除する信号を送るようにしたので、全映像ミュートを解除する時に全ての表示部が一斉に映像が出すようにでき、視聴者にとって穴あきあるいは歯欠け等の見苦しい映像を表示させないようにすることができ、マルチ映像表示装置の表示部全体で調和の取れた映像でミュートを解除することができる。
【００６６】
実施の形態４．
実施の形態３では、マルチ映像表示装置における各表示部のミュート解除のタイミングを揃えることで、ミュート解除時の表示画像の品位を向上させることができたが、マルチ映像表示装置における、実施の形態２に示したようなカソード電流に経時変化が発生した後のミュート解除については対応していない。
【００６７】
そこで本実施の形態では、実施の形態３に示した各段における映像ミュート解除信号発生部２０４、３０４、４０４、および、映像ミュート解除部２０２、３０２、４０２に対して実施の形態２と同様な回路の追加を実施する。つまり、各段の表示部毎のオートカットオフ回路に対して、メモリ６１、９１、１２１、直流電圧可変電源２７ａ’、２７ｃ’、２７ｅ’、および、制御部６２、９２、１２２を追加し、第二検出手段で用いられる基準電圧（第二基準電圧値）を補正するように構成する。
【００６８】
本実施の形態の動作としては、図１０の実施の形態３のフローチャートで電源投入を判断するステップＳ４１が、図７のステップＳ２１のような映像ミュートの解除の判断になり、図１０の実施の形態３のフローチャートのステップＳ４２が、各表示部でステップＳ２２〜Ｓ３５の処理になる。以下の動作は実施の形態３と同様となる。
【００６９】
このように本実施の形態では、実施の形態３の効果に加えて、カソード電流に経時変化が発生するタイミングであっても映像ミュートを解除するタイミングを適切に制御することができる。
【００７０】
【発明の効果】
上記したように本発明では、ＡＫＢ（オートカットオフ）動作を検出しながら、Ｒ、Ｇ、ＢすべてのＡＫＢ動作が安定となるか、あるいは、その安定状態に近い適切なタイミング映像表示動作の安定時点を知ることができるので、映像ミュートの解除が適切なタイミングとなるように制御することができ、また、カソード電流に経時変化が発生するタイミングであっても映像ミュートを解除するタイミングを適切に制御することができ、さらに、マルチ映像表示装置の映像ミュート解除時に全ての表示部が一斉に映像が出すようにでき、視聴者にとって穴あきあるいは歯欠け等の見苦しい映像を表示させないようにすることができ、マルチ映像表示装置の表示部全体で調和の取れた映像でミュートを解除することができる。
【図面の簡単な説明】
【図１】本発明の実施の形態１となる映像表示装置のオートカットオフ回路を示すブロック図である。
【図２】（ａ）〜（ｊ）は図１に示したオートカットオフ回路における一部の回路の入出力波形のタイミングの例を示す図である。
【図３】図１に示したオートカットオフ回路のミュート解除動作の一例を示すフローチャートである。
【図４】本発明の実施の形態２となる映像表示装置のオートカットオフ回路を示すブロック図である。
【図５】陰極線管（ＣＲＴ）のＲＧＢ毎の各カソード電流の減衰率の経時変化特性の一例を示す図である。
【図６】各レベルシフト部においてＲＧＢ毎の各カソード電流が図５に示したように減衰した場合に各リファレンスパルスの波高値が変化する量を示した図である。
【図７】図４に示したオートカットオフ回路における図３のフローチャート以降のミュート解除動作の一例を示すフローチャートである。
【図８】本発明の実施の形態３となるマルチ映像表示装置のオートカットオフ回路を示すブロック図である。
【図９】表示部が複数あるマルチ映像表示装置の正面図の一例を示すものである。
【図１０】図８のマルチ映像表示装置のオートカットオフ回路のミュート解除動作の一例を示すフローチャートである。
【符号の説明】
１  Ｒ（赤）の映像信号入力端子、  ２  Ｇ（緑）の映像信号入力端子、  ３Ｂ（青）の映像信号入力端子、  ４  Ｒのスイッチブロック、  ４ａ  直流電圧電源（Ｅｏ）、  ４ｂ  ＤＣ／映像切替スイッチ（第一切替スイッチ手段）、４ｃ  パルス生成スイッチ（第二切替スイッチ手段）、  ５  ＲのＣＲＴドライブ部、  ６  Ｒのレベルシフト部、  ７  Ｇのスイッチブロック、  ８  ＧのＣＲＴドライブ部、  ９  Ｇのレベルシフト部、  １０  Ｂのスイッチブロック、  １１  ＢのＣＲＴドライブ部、  １２  Ｂのレベルシフト部、  １３  陰極線管（ＣＲＴ）、  １４  検出抵抗、  １５  （Ｃ−ＣＵＴ）コンデンサ、  １６  クランプパルス発生部、  １７  クランプ部（パルス電圧変換手段）、  １８  クランプ電圧発生部、  １９  比較電圧発生部、  ２０  検出電圧切替スイッチ、  ２１  コンパレータ（第一検出手段）、  ２２  コンパレータ（第一検出手段）、  ２３  コンパレータ（第一検出手段）、  ２４  （Ｒの）チャージコンデンサ、  ２５  （Ｇの）チャージコンデンサ、  ２６  （Ｂの）チャージコンデンサ、  ２７  映像ミュート解除回路、  ２７ａ  直流電圧電源、  ２７ｂ  コンパレータ（第二検出手段）、  ２７ｃ  直流電圧電源、  ２７ｄ  コンパレータ（第二検出手段）、  ２７ｅ  直流電圧電源、  ２７ｆ  コンパレータ（第二検出手段）、  ２７ｇ  ２入力のＡＮＤ回路（動作安定度判断手段）、  ２７ｈ  ２入力のＡＮＤ回路（動作安定度判断手段）、  ２７ｊ  ２入力のＡＮＤ回路（動作安定度判断手段）、  ２７ｋ  ３入力のＡＮＤ回路（ミュート解除手段）、  ２８  （Ｒ、Ｇ、Ｂ検出パルスの）切り替えタイミングパルス入力端子、  ６１  （Ｒの）メモリ、  ６２  （Ｒの）制御部、  ９１  （Ｇの）メモリ、  ９２  （Ｇの）制御部、  １２１  （Ｂの）メモリ、  １２２  （Ｂの）制御部、  ２７ａ’、２７ｃ’、２７ｅ’  直流電圧可変電源、  ２７１ｂ、２７１ｄ、２７１ｆ  ホールドコンデンサ、  ２０１  １段目の入力端子、  ２０２  １段目の映像ミュート解除部、  ２０３  １段目の表示部、  ２０４  １段目の映像ミュート解除信号発生部、  ３０１  ２段目の入力端子、  ３０２  ２段目の映像ミュート解除部、  ３０３  ２段目の表示部、  ３０４  ２段目の映像ミュート解除信号発生部、  ４０１  ｎ段目の入力端子、  ４０２  ｎ段目の映像ミュート解除部、  ４０３  ｎ段目の表示部、  ４０４  ｎ段目の映像ミュート解除信号発生部、  ５０５  （ｎ）入力のＡＮＤ回路。
【図１】
2004349770.tif 000003
【図２】
2004349770.tif 000004
【図３】
2004349770.tif 000005
【図４】
2004349770.tif 000006
【図５】
2004349770.tif 000007
【図６】
2004349770.tif 000008
【図７】
2004349770.tif 000009
【図８】
2004349770.tif 000010
【図９】
2004349770.tif 000011
【図１０】
2004349770.tif 000012
【手続補正書】
【提出日】平成15年5月23日(2003.5.23)
【手続補正１】
【補正対象書類名】明細書
【補正対象項目名】００３２
【補正方法】変更
【補正の内容】
【００３２】
すると、図２（ａ）のタイミングｄ（タイミング領域ｃ＝映像ミュート解除領域：ＡＫＢは非安定な領域）に示したように１フレーム分のＲＧＢ映像信号が入力され、リファレンスパルス以外の映像信号に切り替えられているので、Ｒの映像信号の帰線期間にレベルシフトされた電圧（Ｖｒｅｆ）とを切り替えることでリファレンスパルスが付加される。その後、図２（ａ）のタイミングｄ〜ｅに示すように、Ｒ、Ｇ、Ｂそれぞれのレベルシフト部６、９、１２において、スイッチブロック４、７、１０で付加するリファレンスパルスの波高値が減少され、最終的にＡＫＢ動作は安定領域Ｄに達する。